(57)【要約】【課題】選択された身体の特定部位を美粧用研磨具により良好に研磨する。【解決手段】柄(2)及び柄(2)から延伸する梁(3)を有しかつ合成樹脂により一体に形成された細長い枠(1)と、梁(3)の外面に設けられた鑢層(4)とを備える。梁(3)は、柄(2)に対して僅かに屈曲するため、足指の裏等の身体の細部を十分に擦ることができると共に、使用中に鑢層(4)が隣の指に接触するのを防止できる。【選択図】図１
2006055566.tif 000002
【特許請求の範囲】
【請求項１】
柄及び柄から延伸する梁を有しかつ合成樹脂により一体に形成された細長い枠と、梁の外面に設けられた鑢層とを備え、
梁は、柄に対して僅かに屈曲することを特徴とする美粧用研磨具。
【請求項２】
梁は、鑢層を有する下部梁と、下部梁に接続され上部梁とを備え、
梁の先端部に設けられた先端連結部と、梁の後端部に設けられた中間連結部とにより下部梁と上部梁とを接続し、
下部梁と上部梁との内側で先端連結部と中間連結部との間に間隙を形成した請求項１に記載の美粧用研磨具。
【請求項３】
下部梁の鑢層を研磨対象物に当てて押圧すると、可撓性及び弾性を有する下部梁は、間隙の内側に撓む請求項２に記載の美粧用研磨具。
【請求項４】
研磨対象物への押圧力を下部梁から解除すると、下部梁は、初期の状態に復帰する請求項３に記載の美粧用研磨具。
【請求項５】
下部梁の中央部に０.５〜１.０kgの外力を加えると、下部梁は、間隙の内側に０.５〜２.０mm撓む請求項２乃至４の何れか１項に記載の美粧用研磨具。
【請求項６】
上部梁は、下部梁より剛性が大きく、上部梁の外面に鑢層を形成した請求項２乃至５の何れか１項に記載の美粧用研磨具。
【請求項７】
柄の長さ方向に沿う中心線は、直線状に形成され、下部梁は、柄の中心線に対して４〜２０度の角度範囲内で屈曲する請求項２乃至６の何れか１項に記載の美粧用研磨具。
【請求項８】
下部梁は、柄の中心線に対して８〜１６度の角度範囲内で屈曲し、
下部梁と柄とを接続する中間連結部は、５０〜２００mmの曲率半径で湾曲する請求項７に記載の美粧用研磨具。
【請求項９】
梁の表面に固着された弾性層を介して鑢層を梁に固定した請求項１乃至８の何れか１項に記載の美粧用研磨具。
【請求項１０】
梁の表面に鑢層を合成樹脂により一体に形成した請求項１乃至８の何れか１項に記載の美粧用研磨具。
【請求項１１】
枠は、ＡＢＳ樹脂、アクリル樹脂、ポリエチレン樹脂、ポリアミド樹脂、ポリカーボネート樹脂、ポリ汗タール樹脂、ポリプロピレン樹脂、ポリエステル樹脂、又はこれらの樹脂の混合物から射出成形により形成される請求項１乃至１０の何れか１項に記載の美粧用研磨具。
【発明の詳細な説明】
【技術分野】
【０００１】
本発明は、あかすり、特に皮膚に付着した垢又は古い角質層を研磨により除去する小形の美粧用研磨具に関する。
【背景技術】
【０００２】
下記特許文献１は、プラスチックフォーム材よりなる小判形の把持基材と、把持基材の表面及び裏面に固着されて鑢面を形成する鑢材とを備え、把持基材の表面と裏面とで異なる荒さに鑢材を形成する角質皮膚面の研磨具を開示する。この研磨具では、使用者が身体の種々の部位によって適宜に荒さの異なる鑢面を使用できると共に、簡素かつ小形構造により持ち運びが容易である。しかしながら、特許文献１の第２図に示されるように、鑢材を固着した大型の把持基材を握持して使用するため、足指の間又は指裏等の身体の凹部又は特定の小部位のみを選択的に研磨することが困難であった。また、特許文献１の研磨具のように、比較的幅の広い鑢面を有する研磨具では、使用時に鑢面が研磨不要の皮膚に接触して損傷又は痛みを与える欠陥があった。
【０００３】
下記特許文献２は、第６図に木材又は合成樹脂等の材料からなる摩擦用具本体と、摩擦用具本体の一端に形成された柄と、摩擦用具本体の他端に形成されたほぼ楕円形の板状部と、板状部の外面に固着されて鑢面を形成する鑢材とを備える皮膚摩擦用具を開示する。特許文献２の皮膚摩擦用具は、柄を把持して、使用者の手が届き難い足の踵等の部位の垢擦りを容易に行うことできる。
【０００４】
【特許文献１】特開平９−２６７２６９号公報（第２図）
【特許文献２】特開２００１−１０５３３１公報（第６図）
【発明の開示】
【発明が解決しようとする課題】
【０００５】
しかしながら、柄に対して板状部及び鑢面が幅広く形成される特許文献２の皮膚摩擦用具の形状では、特許文献１と同様に身体の小部位の選択的な研磨には不向きであった。
よって、本発明は、身体の小部位を選択的に研磨できる小形の美粧用研磨具を提供することを目的とする。また、本発明は、研磨不要な身体部位に接触せずに特定の身体小部位のみを研磨できる美粧用研磨具を提供することを目的とする。更に、本発明は、取扱及び携帯に便利な小形の美粧用研磨具を提供することを目的とする。
【課題を解決するための手段】
【０００６】
本発明の美粧用研磨具は、柄(2)及び柄(2)から延伸する梁(3)を有しかつ合成樹脂により一体に形成された細長い枠(1)と、梁(3)の外面に設けられた鑢層(4)とを備えている。細長い形状の枠(1)を含む小形の美粧用研磨具は、携帯及び取扱いに便利であり、踵、手足の指等を含む種々の身体の小部位を選択的に研磨することができる。また、梁(3)は、柄(2)に対して僅かに屈曲するので、使用中に美粧用研磨具が研磨不要な身体部位に接触しない。
【発明の効果】
【０００７】
本発明による美粧用研磨具を使用して特定の身体部位を選択的にかつ容易に研磨することができる。この美粧用研磨具は、爪やすりとしても使用することができる。
【発明を実施するための最良の形態】
【０００８】
以下、本発明による美粧用研磨具の実施の形態を図１〜図９について説明する。
図１に示すように、美粧用研磨具は、柄(2)及び柄(2)から延伸する梁(3)を有する細長い枠(1)と、梁(3)の外面に設けられた鑢層(4)とを備える。枠(1)は、例えば、ＡＢＳ樹脂、アクリル樹脂、ポリエチレン樹脂、ポリアミド樹脂、ポリカーボネート樹脂、ポリ汗タール樹脂、ポリプロピレン樹脂、ポリエステル樹脂又はこれらの樹脂の混合物から選択される合成樹脂により一体に形成される。枠(1)を形成する合成樹脂は、成形容易性、軽量及び耐久性を備え人体に無害であることが好ましい。
【０００９】
図１〜図３に示すように、柄(2)は、下部柄(15)と、下部柄(15)に接続される上部柄(16)と、柄(2)の末端部で下部柄(15)と上部柄(16)とを接続する末端連結部(12)と、柄(2)の先端部で下部柄(15)と上部柄(16)とを接続する中間連結部(11)とを備えている。下部柄(15)と上部柄(16)との内側でかつ末端連結部(12)と中間連結部(11)との間に間隙(17)を形成して、美粧用研磨具の軽量化を図ることができるが、間隙(17)を省略してもよい。下部柄(15)と上部柄(16)の外面に複数の凸部又は凹部を設けて、握持した際の枠(1)の滑り止めとしてもよい。
【００１０】
梁(3)は、下部梁(5)と、下部梁(5)に接続された上部梁(6)と、梁(3)の先端部で下部梁(5)と上部梁(6)とを接続する先端連結部(10)とを備え、下部梁(5)と上部梁(6)とは、梁(3)の後端部に設けられる中間連結部(11)でも接続される。下部梁(5)と上部梁(6)との内側には、先端連結部(10)と中間連結部(11)との間に間隙(7)が形成される。本実施の形態として例示する柄(2)及び梁(3)の間隙(7,17)は、枠(1)を貫通して形成される。
【００１１】
図９に示すように、接着剤層(18a)を介して下部梁(5)の外面(5a)に接着された下部弾性層(8a)と、下部弾性層(8a)の外面に接着剤層(18c)を介して接着された下部鑢層(4a)とが下部梁(5)に設けられる。同様に、接着剤層(18b)を介して上部梁(6)の外面(6a)に接着された上部弾性層(8b)と、上部弾性層(8b)の外面に接着剤層(18d)を介して接着された上部鑢層(4b)とが上部梁(6)に設けられる。下部鑢層(4a)と上部鑢層(4b)とは鑢層(4)を構成し、下部弾性層(8a)と上部弾性層(8b)とは弾性層(8)を構成し、接着剤層(18a〜18d)は接着剤層(18)を構成する。弾性層(8)は、発泡ポリエチレン若しくは発泡ポリウレタン等の発泡性樹脂又はポリウレタンゴム、シリコンゴム、オレフィンエラストマー、天然ゴム等の非発泡性の弾性材料が使用され、特に、耐水性の高い合成樹脂が好ましい。接着剤層(18)を使用せずに、自身の粘性により弾性層(8)を下部梁(5)に固着してもよい。接着剤層(18)は、互いに同一でも異なる接着剤を使用してもよい。弾性層(8)は、鑢層(4)を皮膚に押圧した際の緩衝材となり、美粧用研磨具の使用感を良好にする。しかしながら、弾性層(8)を省略することも可能である。
【００１２】
鑢層(4)は、基材の紙又は布に砥粒をバインダで接着した周知の研磨材が使用され、弾性層(8)上に砥粒をバインダで直接接着した構造でもよい。また、下部鑢層(4a)に比較的粒径の大きな初期研磨用の砥粒を使用し、上部鑢層(4b)に比較的粒径の小さな仕上げ用の砥粒を使用すると、最初に、下部鑢層(4a)を使用して足指の間等の身体の細部にできたタコ又はイボ等の硬化した皮膚を適度に削り取った後に、上部鑢層(4b)を使用して、皮膚表面を滑らかに整えることができるが、使用者の好みに応じて、鑢層(4)の荒さを選択できる。耐水性を有する研磨材により鑢層(4)を形成して、入浴時にも美粧用研磨具を使用できることが好ましい。例えば、ＡＢＳ樹脂により枠(1)を形成し、アセトン（ジメチルケトン）等のケトン類溶剤又はエポキシ系接着剤若しくはフェノール系接着剤を接着剤層(18)に使用することが好ましいが、枠(1)、弾性層(8)及び鑢層(4)の材質により接着剤層(18)の材料を適宜に選択することができる。また、弾性層(8)又は接着剤層(18)を使用せず、上部梁(6)及び下部梁(5)の外面(5a,6a)を凹凸形状に樹脂により鑢層(4)を一体成形してもよい。
【００１３】
美粧用研磨具を使用する際に、使用者は、柄(2)を握持し、上部梁(6)又は下部梁(5)の上部鑢層(4b)又は下部鑢層(4a)を研磨対象物に接触させかつ押圧させた状態で、美粧用研磨具を長さ方向又は幅方向に反復して移動する。図６に示すように、使用時に下部梁(5)を身体部位に当接すると、先端連結部(10)と中間連結部(11)とに支持されて間隙(7)を形成する下部梁(5)の中央部は、弾性をもって間隙(7)の内側に僅かに撓み湾曲する。これにより、下部梁(5)が生ずる適度な弾力をもって、下部鑢層(4a)を被研磨皮膚面に密着させて良好に研磨することができる。下部鑢層(4a)は、研磨対象物に当接して内側に変形するため、研磨対象物を下部鑢層(4a)の広い範囲でかつ一様に削ることができる。また、下部鑢層(4a)を研磨対象物に当てた際に、間隙(7)は縮小又は閉塞して、研磨対象物に加わる力を緩和するため、使用感よく垢擦りを行うことができる。可撓性及び弾性を有する下部梁(5)は、押圧力を解除すると、初期の状態に復帰する。下部梁(5)よりも厚くかつ大きい剛性で上部梁(6)を形成することにより、上部梁(6)により上部鑢層(4b)を対象箇所に強く押圧して、研磨面を良好に仕上げることができる。
【００１４】
梁(3)又は柄(2)を構成する下部梁(5)、上部梁(6)、上部柄(16)、下部柄(15)及び間隙(7,17)の長さ及び厚さは、枠(1)の材質又は大きさ等の条件により適宜に決定されるが、下部梁(5)の長さ及び厚さは、外部から押圧された際に下部梁(5)が内側に十分に撓む範囲とする。図１に示すように、梁(3)の厚さは、梁(3)の先端に向かうにつれて薄く形成されるが、一定の厚さに形成してもよい。本実施の形態では、０.５〜１kgの外力を下部梁(5)の中央部に加えたときに、下部梁(5)の中央部が間隙(7)の内側に０.５〜２mm撓む程度に下部梁(5)の撓みの範囲を決定する。これに対し、上部梁(6)の中央部に０.５〜１kgの外力を加えても、上部梁(6)は全く撓まないか又は０.５mm未満で撓む程度がよい。
【００１５】
枠(1)の幅は、１２〜２０mm、好ましくは１４〜１８mmの寸法範囲内で形成するとよい。枠(1)の幅が１２mmより小さいと、足の踵等の身体の広い部位の垢擦りに適さず、２０mmより大きいと、足指等の身体の細部の垢擦りに適さない。柄(2)及び梁(3)は、同一の幅で形成されるが、梁(3)の幅を先端に向かい小さく先細形状に形成してもよい。先細の鑢層(4)により、身体の特定部位のみをより良好に研磨できる。図３に示すように、鑢層(4)の幅は、梁(3)の幅と同一に又は梁(3)の幅よりも僅かに小さく若しくは大きく形成される。
【００１６】
枠(1)の先端から末端までの直線の長さは、１３０〜２３０mm、好ましくは１５０〜２００mmの寸法範囲内で形成される。枠(1)の長さが１３０mmより短いと、足の踵等の使用者の手が届き難い部位を容易に研磨できず、２３０mmより長いと、取扱い勝手が悪くなる。鑢層(4)の長さは、梁(3)の長さと同程度に又はこの長さよりも短く形成される。また、梁(3)の長さは、柄(2)の長さと同程度に又はこの長さよりも長く形成される。踵、手足の指等身体の種々の部位に美粧用研磨具を使用する際に、細長い形状を有する枠(1)は、取扱いに便利であり、大きな収納容積を要せず、持ち運びも容易である。
【００１７】
図１に示すように、柄(2)の長さ方向に沿う中心線(L)は、直線状に形成され、中心線(L)に対する上部梁(6)の上部鑢層(4b)の角度θ1は、６〜２２度、好ましくは１０〜１８度の角度範囲とする。これに対し、中心線(L)に対する下部梁(5)の下部鑢層(4a)の角度θ2は、４〜２０度、好ましくは８〜１６度の角度範囲とし、下部梁(5)は上部梁(6)と同方向に屈曲する。本実施の形態では、上部梁(6)に対して１〜４度程度の僅かな範囲の小さい屈曲角度で下部梁(5)が形成される。上部梁(6)と上部柄(16)とを接続する中間連結部(11)は、３０〜１８０mmの曲率半径で湾曲する。これに対し、下部梁(5)と下部柄(15)とを接続する中間連結部(11)は、５０〜２００mmの曲率半径で湾曲する。柄(2)の中心線(L)に対する上部梁(6)及び下部梁(5)の各鑢層(4)の角度が４度より大きいと、研磨対象物に鑢層(4)を接触させた状態で研磨動作が困難となり、１度より小さいと、身体の特定部位のみに鑢層(4)を接触させ難くなり、鑢層(4)が隣接する非研磨対象物に接触する可能性が高くなる。
【００１８】
図２及び図３に示すように、上部柄(16)及び下部柄(15)の外面が平坦にかつ並行して形成されるのに対し、上部梁(6)の外面(6a)は、湾曲して中央が高くかつ左右が斜めに下がる山形に形成され、下部梁(5)の外面(5a)は、柄(2)と同様に平坦に形成される。下部梁(5)の外面(5a)を上部梁(6)とは反対に湾曲して中央が凹みかつ左右が斜めに上がる窪み状に形成してもよい。下部鑢層(4a)及び上部鑢層(4b)は、下部梁(5)及び上部梁(6)の外面(5a,6a)に沿って各々固着され、平坦、山形又は窪み状に形成される。上部梁(6)を山形に形成して膨らますことにより、イボ又はタコ等の突出した古い皮膚を良好に処理することができる。また、上部梁(6)に対して下部梁(5)を平坦又は窪み状に形成することにより、上部梁(6)により指の間のイボ又はタコを処理する際に、下部梁(5)の下部鑢層(4a)が隣の指に接触するのを防止できる。
【００１９】
本発明者は、人間工学上の研究に基づいて枠(1)の寸法並びに上部梁(6)及び下部梁(5)の角度範囲を決定したが、使用者の性別又は体格等の条件により、枠(1)の幅及び長さ等の寸法又は角度範囲を適宜に変更することができる。本発明の美粧用研磨具は、図４及び図５に示すように、梁(3)を柄(2)に対して僅かに屈曲又は屈折させて、身体の特定部位のみを選択的にかつ容易に研磨できる顕著な効果を生ずる。
【００２０】
本実施の形態の美粧用研磨具を製造する際に、まず、梁(3)が柄(2)の中心線(L)に対して屈曲する図７に示す形状に枠(1)を射出成形により一体成形する。この際、図示しない金型のスライド型により枠(1)と共に、間隙(7,17)を同時に形成できる。次に、図８に示すように、鑢層(4)を付着した弾性層(8)を接着剤層(18)により上部梁(6)及び下部梁(5)の外面(5a,6a)に各々接着して、美粧用研磨具が完成する。予め樹脂形成した鑢層(4)を型キャビティ内の所定の位置に配置した後に、合成樹脂を注入して枠(1)を形成し、モールド成形により鑢層(4)を枠(1)に固定してもよい。この際、鑢層(4)と枠(1)とを同一の樹脂又は異なる樹脂により形成してもよい。別法として、型キャビティの内面に形成した粗面によって鑢層(4)を形成することにより、同一の樹脂又は２色樹脂により梁(3)の表面に鑢層(4)を一体に射出形成することもできる。
【００２１】
本発明は、前記実施の形態に限定されず、種々の変更が可能である。図７に示すように、デザイン性を考慮して、上部梁(6)及び下部梁(5)の外面(5a,6a)に柄(2)の外面との段差(13)を設けて弾性層(8)及び鑢層(4)を配置して、鑢層(4)の外面と梁(3)及び柄(2)の外面とを一定にかつ滑らかに形成する代わりに、段差(13)を省略し、梁(3)及び柄(2)の外面に対して鑢層(4)の外面を突出させてもよい。また、弾性層(8)及び鑢層(4)を上部梁(6)又は下部梁(5)の一方だけに構成してもよい。さらに、壁に取り付けられたフック又は釘に係止する貫通孔を柄(2)の末端連結部(12)に形成してもよい。皮膚に付着した垢又は古い角質層を除去するほか、本発明の美粧用研磨具を使用して、手又は足の爪を研磨してもよい。
【実施例】
【００２２】
幅１５mm、全長１７０mmの枠(1)をＡＢＳ樹脂で射出成形により形成した。枠(1)の各部は、上部梁(6)の断面：山形、最大厚さ：５mm、枠(1)の下部梁(5)：平坦形状、厚さ：１.５mm、上部梁(6)と下部梁(5)との間に形成された間隙(7)の厚さ：１.５mmで一定、上部柄(16)及び下部柄(15)の厚さ：それぞれ２mm及び３mmでかつ平坦、上部柄(16)と下部柄(15)との間に形成された間隙(17)の厚さ：中間連結部(11)近くで３.４mm；末端連結部(12)近くで５mm、上部梁(6)の屈曲角度：柄(2)の中心線(L)に対して１０度、下部梁(5)の屈曲角度：上部梁(6)と同方向に柄(2)の中心線(L)に対して８度であった。次に、耐水性の研磨紙からなる鑢層(4)を発泡ポリエチレンからなる弾性層(8)の外面に固着した板状部材を接着剤(18)により上部梁(6)及び下部梁(5)の外面(5a,6a)にそれぞれ固着した。形成された美粧用研磨具は、梁(3)が柄(2)に対して僅かに屈曲するため、足指を美粧用研磨具で十分に擦ることができると共に、使用中に上部梁(6)及び下部梁(5)の鑢層(4)が隣の指に接触しなかった。踵から手足の指先まで身体の種々の部位に良好に使用できた。
【産業上の利用可能性】
【００２３】
身体の垢若しくは古い角質層の除去又は爪などの研磨に良好に使用することができる。
【図面の簡単な説明】
【００２４】
【図１】本発明による美粧用研磨具の側面図
【図２】図１のＡ−Ａ線に沿う断面図
【図３】図１のＢ−Ｂ線に沿う断面図
【図４】美粧用研磨具の上面側の斜視図
【図５】美粧用研磨具の下面側の斜視図
【図６】下部梁の鑢層を指に押圧した状態を示す側面図
【図７】射出成形により形成された枠の側面図
【図８】美粧用研磨具を組み立てる過程を示す斜視図
【図９】梁の部分断面図
【符号の説明】
【００２５】
(1)・・枠、  (2)・・柄、  (3)・・梁、  (4)・・鑢層、  (5)・・下部梁、  (6)・・上部梁、  (7)・・間隙、  (8)・・弾性層、  (10)・・先端連結部、  (11)・・中間連結部、  (L)・・中心線、
【図１】
2006055566.tif 000003
【図２】
2006055566.tif 000004
【図３】
2006055566.tif 000005
【図４】
2006055566.tif 000006
【図５】
2006055566.tif 000007
【図６】
2006055566.tif 000008
【図７】
2006055566.tif 000009
【図８】
2006055566.tif 000010
【図９】
2006055566.tif 000011